(57)【要約】【課題】全国共通での使用を簡便に実現する。【解決手段】固有の識別情報や有価情報や発行店舗情報等の情報が書き込まれたプリペイドカードＣと、このプリペイドカードＣが挿抜自在となっているとともにプリペイドカードが保持する情報の読み取り及びプリペイドカードへの情報の書き込みが可能な読み書き装置と、この読み書き装置を制御するとともにプリペイドカードが保持する有価情報に相応する遊技を遊技装置において可能とし且つ遊技装置の利用に応じてプリペイドカードが保持する有価情報の書き換えを行う制御手段とからなる。制御手段はプリペイドカードに記録された店舗情報が自店のものでない場合にプリペイドカードの残高に関する有価情報が初期化されていることを条件としてそのプリペイドカードを有効として扱う。全国の店舗間の精算システムが存在していなくても、問題が生じることはない。【選択図】  図１
2004178221.tif 000002
【特許請求の範囲】
【請求項１】
固有の識別情報や有価情報や発行店舗情報等の情報が書き込まれたプリペイドカードと、このプリペイドカードが挿抜自在となっているとともにプリペイドカードが保持する情報の読み取り及びプリペイドカードへの情報の書き込みが可能な読み書き装置と、この読み書き装置を制御するとともにプリペイドカードが保持する有価情報に相応する遊技を遊技装置において可能とし且つ遊技装置の利用に応じてプリペイドカードが保持する有価情報の書き換えを行う制御手段とからなる遊技設備用プリペイドカードシステムであって、上記制御手段はプリペイドカードに記録された店舗情報が自店のものでない場合にプリペイドカードの残高に関する有価情報が初期化されていることを条件としてそのプリペイドカードを有効として扱うものであることを特徴とする遊技設備用プリペイドカードシステム。
【請求項２】
少なくとも固有の識別情報が書き込まれたプリペイドカードと、このプリペイドカードが挿抜自在となっているとともにプリペイドカードが保持する情報の読み取り可能な読み書き装置と、プリペイドカードに記録された固有の識別情報を基に各プリペイドカード毎の有価情報を店舗毎に管理する管理装置と、上記読み書き装置を制御するとともに読み書き装置内にあるプリペイドカードに関する有価情報を上記管理手段から求めて該有価情報に相応する遊技を遊技装置において可能とし且つ遊技装置の利用に応じてプリペイドカードについての有価情報の書き換えを管理手段に要求する制御手段とからなり、上記管理装置はプリペイドカードに記録された識別情報を基にそのプリペイドカードを有効として扱うものであることを特徴とする遊技設備用プリペイドカードシステム。
【発明の詳細な説明】
【０００１】
【発明の属する技術分野】
本発明は有価情報を備えるプリペイドカードを利用した遊技設備用プリペイドカードシステムに関するものである。
【０００２】
【従来の技術】
近年、遊技店では電子的情報や磁気的情報が書き込まれたプリペイドカードを有価情報の媒体とし、このプリペイドカードの有価情報をもとに遊技機での遊技を行うことができるようにした遊技設備が設置されている。
【０００３】
このようなプリペイドカードの利用を可能とした遊技設備用プリペイドカードシステムでは、プリペイドカードのコスト的な問題などの点から、磁気カード型のプリペイドカードが一般的に用いられているとともに、プリペイドカードの改竄による不正使用の防止などの点から、プリペイドカードを発行した遊技店でのみそのプリペイドカードを使用することができる方式、いわゆるハウスカード方式のものが殆どであり、また複数店舗での使用が可能な会員カード型のものも存在するが、この場合においてもプリペイドカードを使用することができる店舗はその店舗が属する店舗グループに限定され、ある店で発行されたプリペイドカードを全国で使用することができるようにはなっていない。
【０００４】
一方、顧客側からすれば、店舗毎にプリペイドカードを持たなくてはならない上に、ある店で得られた特典としてのポイントは他の店では使用することができないことになる。
【０００５】
また店舗側にしても、会員型のプリペイドカードを発行したところで、該プリペイドカードから得られる顧客情報はその店舗での利用情報のみとなり、その顧客が他の店舗でどのような利用を行っているかなどを知ることはできない。
【０００６】
【特許文献１】
特開昭６４−２２２７４号公報
【０００７】
【発明が解決しようとする課題】
ところで、セキュリティの向上などの点から、磁気カード型のものに代えて、ＩＣチップを埋め込んだＩＣカード型のプリペイドカードを用いる場合、カードにかかるコストが大きくなるために、ハウスカード方式は問題がある。また、ハウスカード方式は顧客側及び店舗側の双方において前述のような問題を有していることもあって、ＩＣカード型のものとする場合は、全国共通で使用することができるようにしたものが望まれる。
【０００８】
しかし、全国の各店舗間での精算システムが存在していないのが現状であり、このために、ある店舗で代価を支払うことで有価情報を書き込んだプリペイドカード（ＩＣカード）を、他店舗で利用できるようにすることは到底考えられない。
【０００９】
本発明はこのような点に鑑みなされたものであって、その目的とするところは全国共通での使用を簡便に実現することができる遊技設備用プリペイドカードシステムを提供するにある。
【００１０】
【課題を解決するための手段】
しかして本発明に係る遊技設備用プリペイドカードシステムは、固有の識別情報や有価情報や発行店舗情報等の情報が書き込まれたプリペイドカードと、このプリペイドカードが挿抜自在となっているとともにプリペイドカードが保持する情報の読み取り及びプリペイドカードへの情報の書き込みが可能な読み書き装置と、この読み書き装置を制御するとともにプリペイドカードが保持する有価情報に相応する遊技を遊技装置において可能とし且つ遊技装置の利用に応じてプリペイドカードが保持する有価情報の書き換えを行う制御手段とからなる遊技設備用プリペイドカードシステムであって、上記制御手段はプリペイドカードに記録された店舗情報が自店のものでない場合にプリペイドカードの残高に関する有価情報が初期化されていることを条件としてそのプリペイドカードを有効として扱うものであることに特徴を有している。全国の店舗間の精算システムが存在していなくても、問題が生じることはない。なお、ここでの「自店」には、相互間に精算システムが存在するチェーン店（グループ店）、もしくは一括して管理されているチェーン店を含むものとする。また、「プリペイドカードに記録された店舗情報が自店のものでない場合」には、店舗情報が空欄である場合を含むものとする。
【００１１】
また本発明は、少なくとも固有の識別情報が書き込まれたプリペイドカードと、このプリペイドカードが挿抜自在となっているとともにプリペイドカードが保持する情報の読み取り可能な読み書き装置と、プリペイドカードに記録された固有の識別情報を基に各プリペイドカード毎の有価情報を店舗毎に管理する管理装置と、上記読み書き装置を制御するとともに読み書き装置内にあるプリペイドカードに関する有価情報を上記管理手段から求めて該有価情報に相応する遊技を遊技装置において可能とし且つ遊技装置の利用に応じてプリペイドカードについての有価情報の書き換えを管理手段に要求する制御手段とからなり、上記管理装置はプリペイドカードに記録された識別情報を基にそのプリペイドカードを有効として扱うものであることに特徴を有している。プリペイドカード側には有価情報が書き込まれておらず、そのプリペイドカードが持つ有価情報はプリペイドカードに書き込まれている固有の識別情報を基に店舗側の管理手段で管理されているために、全国の店舗での使用になんら問題は生じない。なお、ここでの「店舗」には、相互間に精算システムが存在するチェーン店、もしくは一括して管理されているチェーン店を含むものとする。
【００１２】
【発明の実施の形態】
以下本発明を実施の形態の一例に基づいて詳述すると、ここでのプリペイドカードＣは、基本的には発行された店舗のみ、もしくは指定されたグループ店舗のみで使用可能なハウスカード方式のＩＣカード（磁気カードなどであってもよい）であるが、ある条件を満たせば他店舗のハウスカードとして使用することができるようにすることで、全国の店舗での使用を可能としたもので、該プリペイドカードＣを利用することができる遊技設備は、図２に示すように、多数の遊技機２と、各遊技機２に個別に付設されている台間機１と、カード精算機３、景品交換端末装置４、カードチェッカー５、計数機６、ホールセンター装置７などで構成されて、これらの装置間では各種情報のやりとりがなされるようになっている。
【００１３】
遊技機２に付設された台間機１は、図６に示すように、プリペイドカードＣに記録された情報の読み取り及び書き込みが可能なカードリーダー・ライターである読み書き装置を内蔵しているとともにプリペイドカードＣの発行も行うもので、遊技者は該台間機１のカード挿入排出口１６にプリペイドカードＣを挿入すれば、プリペイドカードＣが有している有価情報（金額情報）相当分だけ、遊技機２で遊技を楽しむことができるようになっている。図中１０は紙幣識別機における紙幣挿入口であり、この紙幣挿入口１０に紙幣を投入することで、紙幣額相当のプリペイドカードＣを発行させたり、挿入したプリペイドカードＣに紙幣額相当の有価情報を書き込ませることができる。このために台間機１は上記読み書き装置と紙幣識別機との他に、これらの制御や遊技機２等との間の通信を行う制御手段を内蔵している。
【００１４】
上記プリペイドカードＣはその発行時に一般カードか会員カードかの種別、店番号、発券年月日、固有の識別情報、発券金額、残金額、会員カードである場合の会員登録店番号等の情報が記録されるものであり、そして上記残金額は遊技機２の使用量に応じて減算される。
【００１５】
ここにおいて、新たなプリペイドカードＣの発行（発券）時には、投入された紙幣（貨幣）の額に応じた発券金額及び残金額が書き込まれたプリペイドカードＣが発行されるとともに、そのプリペイドカードＣの履歴情報が同時に作成されて、該履歴情報が各店舗の遊技設備を統括するホールセンター装置７に送信されるだけであるが、利用者が手持ちのプリペイドカードＣを台間機１に投入した場合、図１に示すように、台間機１の制御手段は、そのプリペイドカードＣが使用可能なものかどうかの判断と、自店もしくはチェーン店発行のものであるかの判断を行い、使用可能で且つ自店もしくはチェーン店発行のものであれば、次の紙幣（貨幣）入金の処理ステップに移行する。
【００１６】
そして、自店もしくはチェーン店発行のものでない場合は、初期化カードであるか否かの判断を行い、初期化カードであれば、紙幣（貨幣）入金の処理ステップに移行し、初期化カードでなければ、そのプリペイドカードＣの返却を行う。ここで、初期化カードであるか否かは、プリペイドカードＣに記録されている残金額がゼロであるか否かによって判断しており、ゼロであれば初期化カードであるとして、入金処理に移るようにしている。残金額がゼロであれば、そのプリペイドカードＣの発行店との間で精算処理を行う必要がないことから、自店での使用を可能としているものである。
【００１７】
残金額がゼロでないために初期化カードでないと判断した場合、ただちにそのプリペイドカードＣを返却するのではなく、残金額をゼロとする処理を行ってもよいかどうかを使用者に問い合わせ、使用者の承諾が得られたならば、残金額をゼロとする書き込みをプリペイドカードＣに対して行い、その後、入金処理に移行するようにしてもよい。また、台間機２に一時利用のためのプリペイドカードＣを内蔵させている遊技設備があるが、この場合は利用者が挿入したプリペイドカードＣではなく、内蔵プリペイドカードＣを使用した入金の処理ステップに移行するようにしたものであってもよい。この時、内蔵するプリペイドカードＣを使用することから、利用者が自身のプリペイドカードＣを挿入する必要性はないのであるが、後述するポイントサービスなどで特典を設けることで、利用者が所有するプリペイドカードＣの挿入を促せば、該プリペイドカードＣに記録されている会員情報を引き出すことができる。
【００１８】
なお、残金額（有価情報）がゼロであるということは、実際に数値としてのゼロ相当のデータが書き込まれていることのほかに、ゼロと見なされる無効数値（たとえば負の値のデータ）が書き込まれている場合を含むものとする。
【００１９】
また、店舗情報は店番号として記録されているもののほか、固有の識別情報などの他の情報の中に含まれているものにおいては、そちらを利用するものであってもよい。
【００２０】
また、有価情報が店舗情報とセットで複数組を書き込むことができるプリペイドカードＣであり、台間機１の制御手段がこれら複数組の情報の中から自店（もしくはチェーン店）の店舗情報のものを優先して使用するものであれば、店舗情報と有価情報とのセットを書き込む複数のエリアが全て使用されていない限り、すでに書き込まれている店舗情報と有価情報とのセットが初期化されていなくてもよい。新たな店舗情報と有価情報とのセットを書き込むことができるエリアが初期化状態（有価情報がゼロの状態）で存在するからであり、このエリアを使用することで、他店舗との間の精算に関して問題を招くことなく、処理することができる。
【００２１】
ところで、図２に示したホストコンピュータＨは、初期化されたプリペイドカードＣであれば、そのプリペイドカードＣの発行店舗を問わずに使用を可能としている店舗（ホール）間で、会員となっている使用者の履歴情報を共有するとともに、利用毎に使用者にポイントを付与してその総ポイント数に応じて使用者に優待処置を行う場合のポイントの管理を行うものであり、この処理はプリペイドカードＣに記録された固有の識別情報に基づいて行う。
【００２２】
プリペイドカードＣの発券を台間機１が行うものを示したが、この発券処理は台間機１に限定するものではなく、カード発券専用の機器等で行うものであってもよく、この場合においても、図１に示した処理を行うことで、当初の目的を達成することができるものとなる。特に他店発行のプリペイドカードＣ専用の発券機を用意し、この発券機でのみ、初期化カードであるか否かの判断処理がなされるようにしたものであってもよい。
【００２３】
また、初期化の条件として、ここでは残金額がゼロ相当のものである場合を示したが、他の一部の情報も初期化したものであってもよく、更にはプリペイドカードＣの固有識別情報を除く他の情報すべてをクリアしたものを初期化されたものとして扱うようにしてもよい。
【００２４】
次に他の実施の形態の一例について説明する。ここでは、システム構成としては図２に示すものと同様のものを用いることができるが、プリペイドカードＣに記録する情報には残金額である有価情報が記録されておらず、各店舗毎の管理装置であるホールセンター装置７において、プリペイドカードＣが有する固有識別情報を基に各プリペイドカードＣの有価情報を管理している。この場合のプリペイドカードＣは、固有識別情報のみが書き込まれたものでもよく、これに伴って台間機１等の読み書き装置は、読み出しのみが可能なものであってもよい。プリペイドカードＣの発行を行うものが書き込み機能を備えておればよいものである。
【００２５】
そして、プリペイドカードＣが台間機１に挿入された場合、制御手段はプリペイドカードＣの固有識別情報を基にそのプリペイドカードＣが有している有価情報をホールセンター装置７側に問い合わせる。
【００２６】
ここで、そのプリペイドカードＣが既にその店舗で使用されたことがある場合は、ホールセンター装置７は該当する固有識別情報と対応する有価情報を保持していることから、その有価情報を制御手段側に送り返す。そして制御手段は有価情報がゼロでなければ、遊技を可能とする状態に移行し、また有価情報がゼロであれば入金処理のために待機する。また、有価情報がゼロでなくても紙幣の投入がなされれば入金処理に移る。この入金がなされた場合、制御手段は有価情報の書き換えをホールセンター装置７に要求する。
【００２７】
そのプリペイドカードＣがその店舗で初めて使用される時は、ホールセンター装置７は該当する固有識別情報と対応する有価情報を保持していないことから、その固有識別情報のための管理レコードを新たに作成して、制御手段にそのプリペイドカードＩＣが使用可能状態になったことを通知し、制御手段はこの通知を受けて入金処理に移り、入金された金額情報をホールセンター装置７側に通知する。図３にこの処理フローを示す。
【００２８】
遊技を行うことでそのプリペイドカードＣが持つ有価情報が減額された場合、制御手段はその都度ホールセンター装置７側に有価情報の書き換えを要求する。なお、制御手段によるホールセンター装置７に対する有価情報の書き換え要求は、挿入されているプリペイドカードＣの返却を行う時だけなされるものであってもよい。
【００２９】
この場合、各プリペイドカードＣの有価情報は、管理装置（ホールセンター装置７）側で管理されており、プリペイドカードＣに有価情報自体は書き込まれていないことから、前述のものと異なり、プリペイドカードＣはそのプリペイドカードＣを物理的に取り扱うことができるとともに同様の管理を行っている全国の店舗において常に使用可能である。
【００３０】
なお、本例においても、前述の例で示したものと同様に、ホストコンピュータＨによるところのプリペイドカードＣの履歴情報（これは顧客情報ともなる）の共有やポイント付加サービスが可能である。
【００３１】
【発明の効果】
以上のように本発明においては、固有の識別情報や有価情報や発行店舗情報等の情報が書き込まれたプリペイドカードと、このプリペイドカードが挿抜自在となっているとともにプリペイドカードが保持する情報の読み取り及びプリペイドカードへの情報の書き込みが可能な読み書き装置と、この読み書き装置を制御するとともにプリペイドカードが保持する有価情報に相応する遊技を遊技装置において可能とし且つ遊技装置の利用に応じてプリペイドカードが保持する有価情報の書き換えを行う制御手段とからなる遊技設備用プリペイドカードシステムであって、上記制御手段はプリペイドカードに記録された店舗情報が自店のものでない場合にプリペイドカードの残高に関する有価情報が初期化されていることを条件としてそのプリペイドカードを有効として扱うものであるために、全国の店舗間の精算システムが存在していなくても、精算の必要が生じないものであり、従って店舗間での精算に問題が生じることはなく、特定の店舗で発行されたプリペイドカードを全国の店舗で使用することができるものとなる。また、精算システムを構築する必要がないことから、プリペイドカードの全国共通での使用を簡便に実現することができる。
【００３２】
また本発明は、少なくとも固有の識別情報が書き込まれたプリペイドカードと、このプリペイドカードが挿抜自在となっているとともにプリペイドカードが保持する情報の読み取り可能な読み書き装置と、プリペイドカードに記録された固有の識別情報を基に各プリペイドカード毎の有価情報を店舗毎に管理する管理装置と、上記読み書き装置を制御するとともに読み書き装置内にあるプリペイドカードに関する有価情報を上記管理手段から求めて該有価情報に相応する遊技を遊技装置において可能とし且つ遊技装置の利用に応じてプリペイドカードについての有価情報の書き換えを管理手段に要求する制御手段とからなり、上記管理装置はプリペイドカードに記録された識別情報を基にそのプリペイドカードを有効として扱うものであるために、この場合においても、店舗間の精算システムが存在していなくても、あるプリペイドカードを全国の店舗で常に使用することができるものとなる。この場合も、精算システムを構築する必要がないことから、プリペイドカードの全国共通での使用を簡便に実現することができる。
【図面の簡単な説明】
【図１】本発明の実施の形態の一例の動作を示すフローチャートである。
【図２】同上のブロック図である。
【図３】他の実施の形態の一例の動作を示すフローチャートである。
【符号の説明】
Ｃ  プリペイドカード
１  台間機
７  ホールセンター装置
【図１】
2004178221.tif 000003
【図２】
2004178221.tif 000004
【図３】
2004178221.tif 000005